(57)【要約】  高速用モジュラーコネクタプラグは、プラグのハウジングの導体収納キャビティ内に少なくとも部分的に位置するワイヤ・ガイド・フィルターを備える。ワイヤ・ガイド・フィルターは、複数の長手方向連続通路を有する長手方向連続本体と、複数の長手方向連続通路を区画する長手方向連続本体を備える内側ケーブルガイド部とを備える。
2013510403.tif 000002
【特許請求の範囲】
【請求項１】
モジュラーコネクタプラグであって、
絶縁材製のハウジングであって、ハウジング内に形成され、前記ハウジングの後面に開口する長手方向に連続する導体収納キャビティを有するハウジングと、
前記ハウジングの前方域に形成された複数の端子収納スロットであって、前記導体収納キャビティの前方域と連通する前記端子収納スロットと、
少なくとも部分的に前記後面で前記開口部を介して前記導体収納キャビティ内に位置するワイヤ・ガイド・フィルターであって、インピーダンス収容部と内側ケーブルガイド部とを含む前記ワイヤ・ガイド・フィルターと、
を備えることを特徴とするモジュラーコネクタプラグ。
【請求項２】
前記インピーダンス収容部は、複数の長手方向連続通路を有する長手方向連続本体を備えることを特徴とする請求項１に記載のモジュラーコネクタプラグ。
【請求項３】
前記インピーダンス収容部の前記長手方向連続本体は、４本の前記長手方向連続通路を区画する十字状の断面を有することを特徴とする請求項２に記載のモジュラーコネクタプラグ。
【請求項４】
前記インピーダンス収容部の前記長手方向連続本体は、その間に前記複数の長手方向連続通路を区画する複数の長手方向連続壁を含むことを特徴とする請求項２に記載のモジュラーコネクタプラグ。
【請求項５】
前記長手方向連続壁の少なくとも１つは、前記導体収納キャビティ内に収められるケーブルのシールドを成端するように構成され配置された長手方向連続エッジ表面を含むことを特徴とする請求項４に記載のモジュラーコネクタプラグ。
【請求項６】
歯またはぎざぎざが前記少なくとも一つの壁の前記長手方向連続エッジ表面上に形成されていることを特徴とする請求項５に記載のモジュラーコネクタプラグ。
【請求項７】
前記インピーダンス収容部は、前記導体収納キャビティ内に収められるケーブルのシールドを成端するように構成され配置された少なくとも一つのエッジ表面を含む長手方向連続本体を備えることを特徴とする請求項１に記載のモジュラーコネクタプラグ。
【請求項８】
前記インピーダンス収容部は亜鉛合金製であることを特徴とする請求項１に記載のモジュラーコネクタプラグ。
【請求項９】
前記インピーダンス収容部は金属化プラスチック製であることを特徴とする請求項１に記載のモジュラーコネクタプラグ。
【請求項１０】
前記インピーダンス収容部は非導電性材料製であることを特徴とする請求項１に記載のモジュラーコネクタプラグ。
【請求項１１】
前記インピーダンス収容部はフェライト材製であることを特徴とする請求項１に記載のモジュラーコネクタプラグ。
【請求項１２】
前記内側ケーブルガイド部は、複数の長手方向連続ガイド通路を区画する長手方向連続本体を備えることを特徴とする請求項１に記載のモジュラーコネクタプラグ。
【請求項１３】
前記内側ケーブルガイド部は前記プラグハウジング内に形成された前記導体収納キャビティ内に収納可能であることを特徴とする請求項１２に記載のモジュラーコネクタプラグ。
【請求項１４】
前記複数の長手方向連続ガイド通路は、前記導体収納キャビティの上側表面および下側表面と連続する位置に配置可能な上側ガイド通路および下側ガイド通路と、前記導体収納キャビティのそれぞれの側面表面と連続する位置に配置可能な一対の側面ガイド通路とを含む４つの前記ガイド通路を備えることを特徴とする請求項１３に記載のモジュラーコネクタプラグ。
【請求項１５】
前記一対の側面ガイド通路のそれぞれは、前記ガイド通路の少なくとも上側面、下側面および内側側面を実質的に囲む壁部によって形成されることを特徴とする請求項１４に記載のモジュラーコネクタプラグ。
【請求項１６】
前記一対の側面ガイド通路のそれぞれは、前記側面ガイド通路の全ての側面を実質的に囲む壁部によって形成されることを特徴とする請求項１５に記載のモジュラーコネクタプラグ。
【請求項１７】
ガイド通路を形成する前記壁部のそれぞれは導電性材料製であることを特徴とする請求項１５に記載のモジュラーコネクタプラグ。
【請求項１８】
前記一対の側面ガイド通路の各々は壁部によって形成され、その各々は前記側面ガイド通路のＥＭＩシールドを確保するように構成され配置されることを特徴とする請求項１４に記載のモジュラーコネクタプラグ。
【請求項１９】
前記上側、下側および一対の側面ガイド通路の各々は、それぞれの長手方向連続壁部によって形成され、各ガイド通路壁部は前方自由表面で終端することを特徴とする請求項１４に記載のモジュラーコネクタプラグ。
【請求項２０】
前記対の側面ガイド通路を形成する前記壁部の前記前方自由表面は前記上側ガイド通路および下側ガイド通路を形成する前記壁部の前記前方自由表面の前方に位置することを特徴とする請求項１９に記載のモジュラーコネクタプラグ。
【請求項２１】
前記上側ガイド通路および下側ガイド通路を構成する前記壁部の前記前方自由表面の前方に突出する前記対の側面ガイド通路を構成する前記壁部の全長の間に、制御されたクロストーク空間が区画されることを特徴とする請求項２０に記載のモジュラーコネクタプラグ。
【請求項２２】
前記ワイヤ・ガイド・フィルターの前記インピーダンス収容部は、複数の長手方向連続インピーダンス収容通路を有し第１の長手方向連続本体を備え、
前記ワイヤ・ガイド・フィルターの前記内側ケーブルガイド部は、複数のガイド通路を区画する第２の長手方向連続本体を備え、
前記内側ケーブルガイド部は、前記インピーダンス収容部の前方に位置し、
前記複数の長手方向連続インピーダンス収容通路の少なくとも幾つかは、対応する長手方向連続ガイド通路と、長手方向に整列する
ことを特徴とする請求項１に記載のモジュラーコネクタプラグ。
【請求項２３】
前記インピーダンス収容および内側ケーブルガイド部の各々は、整列した上側、下側および対の側面のインピーダンス収容およびガイド通路を含む４本の前記インピーダンス収容およびガイド通路をそれぞれ備えることを特徴とする請求項２２に記載のモジュラーコネクタプラグ。
【請求項２４】
前記内側ケーブルガイド部は前記導体収納通路内に位置し、前記上側および下側ガイド通路は前記導体収納キャビティの上側および下側表面と連続して位置し、前記側面ガイド通路は前記導体収納キャビティの側面表面と連続して位置することを特徴とする請求項２３に記載のモジュラーコネクタプラグ。
【請求項２５】
前記インピーダンス収容部および前記内側ケーブルガイド部は互いに一体的に形成されることを特徴とする請求項２２に記載のモジュラーコネクタプラグ。
【請求項２６】
前記インピーダンス収容部および前記内側ケーブルガイド部は、互いとは別個に形成されることを特徴とする請求項２２に記載のモジュラーコネクタプラグ。
【請求項２７】
前記上側、下側および対の側面のガイド通路の各々は、それぞれの長手方向連続壁部により構成され、各ガイド通路壁部は前方自由表面で終端することを特徴とする請求項２３に記載のモジュラーコネクタプラグ。
【請求項２８】
前記対の側面ガイド通路を形成する前記壁部の前記前方自由表面は、前記上側および下側ガイド通路を形成する前記壁部の前記前方自由表面の前方に位置することを特徴とする請求項２７に記載のモジュラーコネクタプラグ。
【請求項２９】
前記上側および下側ガイド通路を構成する前記壁部の前方に突出する前記対の側面ガイド通路を構成する前記壁部の全長の間に、制御されたクロストーク空間が区画されることを特徴とする請求項２８に記載のモジュラーコネクタプラグ。
【請求項３０】
前記対の側面ガイド通路の各々は、前記側面ガイド通路の少なくとも上側、下側および内側側面を実質的に囲む壁部により形成されることを特徴とする請求項２３に記載のモジュラーコネクタプラグ。
【請求項３１】
前記対の側面ガイド通路の各々は、前記側面ガイド通路の全ての側面を囲む壁部により形成される請求項２３に記載のモジュラーコネクタプラグ。
【請求項３２】
前記対の側面ガイド通路の各々は、前記側面ガイド通路の全ての側面を囲む壁部により形成されることを特徴とする請求項２３に記載のモジュラーコネクタプラグ。
【請求項３３】
前記壁部の各々は導電性材製であることを特徴とする請求項３２に記載のモジュラーコネクタプラグ。
【請求項３４】
前記対の側面ガイド通路の各々は壁部により形成され、各壁部は前記側面ガイド通路のＥＭＩシールドを確保するように構成され配置されることを特徴とする請求項３３に記載のモジュラーコネクタプラグ。
【請求項３５】
前記モジュラーコネクタプラグハウジングの外側表面上に位置する外側シールド部材をさらに備えることを特徴とする請求項２３に記載のモジュラーコネクタプラグ。
【請求項３６】
前記外側シールド部材は、ＥＭＩシールドを確保するために前記ハウジング内に形成された前記導体収納キャビティ内に位置する前記内側ケーブルガイド部の前記側面ガイド通路と対向関係にある前記ハウジングの外側表面に覆われている部分を含むことを特徴とする請求項３５に記載のモジュラーコネクタプラグ。
【請求項３７】
前記インピーダンス収容部上に形成された張力緩和部をさらに備えることを特徴とする請求項２３に記載のモジュラーコネクタプラグ。
【請求項３８】
前記モジュラーコネクタプラグハウジングの外側表面上に位置する外側シールド部材をさらに備えることを特徴とする請求項３８に記載のモジュラーコネクタプラグ。
【請求項３９】
前記外側シールド部材は、前記ハウジングから離れる方向に伸び、前記インピーダンス収容部上で圧着されケーブルシールドを成端するように構成され配置される圧着部を含むことを特徴とする請求項３８に記載のモジュラーコネクタプラグ。
【発明の詳細な説明】
【関連出願】
【０００１】
本出願は、２００９年１１月３日出願の米国仮出願第６１／２８０，４０１号の優先出願日を主張する。
【技術分野】
【０００２】
本発明は、一般にモジュラーコネクタに関し、特には、高速用モジュラーコネクタプラグに関する。
【背景技術】
【０００３】
データ伝送の速度は増してきている。モジュラープラグおよびモジュラージャックの性能面での新仕様では、信号を劣化させずに高速化する送信の必要性が反映されている。ＲＪ４５モジュラープラグ／ジャックは、本来、こうした基準で機能するように設計されておらず、既存する基本構造に基づいて、絶えず向上する性能面での新しい要求を満たすように再設計される必要がある。モジュラーコネクタの外形および寸法は、ＩＥＣ６０６０３−７シリーズやＴＩＡ５６８シリーズなどのような米国および国際標準規格に準じているが、プラグの内部の設計は大きく異なる。この内部設計は、プラグが高速アプリケーションの要件を満たすためのものである。
【０００４】
現在、ＲＪ４５コネクタは３０ＫＨｚから５００ＭＨｚでの用途で利用されている。主要な伝送パラメータの全てに一貫して適合する高速用途に利用でき、同時に、安価で製造が容易であり、様々なケーブルと併用できるものとして知られるモジュラープラグはほとんどない。
【０００５】
コネクタとしての性能については、送信される信号の直接測定により判断するか、または、より一般的には、ＮＥＸＴ、リータンロス、コモンモードノイズ、コモン−ディファレンシャルモード変換などの主な伝送パラメータの制御により判断する。これらのパラメータは、米国ではＴＩＡ５６８−１０において指定されており、国際的にはＩＥＣ６０６０３−７標準シリーズにおいて指定されている。高性能なコネクタには、１００ＭＨｚまでの用途で特徴付けられるカテゴリー５ｅと、２５０ＭＨｚまでの用途で特徴付けられるカテゴリー６と、５００ＭＨｚまでの用途で特徴付けられるカテゴリー６ａとのカテゴリーがある。モジュラープラグおよび接続コード・アセンブリにおけるＣＡＴ６およびＣＡＴ６ａの性能レベルに対応するためには、幾つかの方法がある。
【０００６】
最も簡易なプラグでは、ワイヤの位置やアセンブリの電気的特性を調整したり部分変更したりする何らかの手段を用いることなく、プラグの端子のワイヤへの直接連結を利用している。このため、組立工には、確実に導体を正確に引き回す高い技術と経験が必要とされる。ケーブルの取り扱い、ツイストペア線のよじり、フォイルシールドの位置およびワイヤの位置の小さな差異は、性能要件を満たすか満たさないケーブル・アセンブリ間の差となる。この設計でカテゴリー５ｅまた６レベルを実現できるかもしれないが、一貫してそのレベルを満たさず、カテゴリー６Ａの性能要件をまれにしか満たすことはない。
【０００７】
より複雑なプラグの設計は、信号のルーティングに用いるプリント回路基板を内蔵する。こうした設計ではより多くの部品を含み、製造と組立により多くのコストがかかる。ＰＣＢプラグの性能は上述した簡素なプラグよりも安定している。この設計ではＣＡＴ６Ａを満たすことができるが、非常に高コストである。
【０００８】
シールドされていないジャックとの連結時のＥＭＩ性能を向上させるような設計は知られていない。
【０００９】
したがって、近端漏話、リータンロスおよびコモンモードノイズの伝送パラメータを向上させた、ＣＡＴ６Ａの要件に適合するモジュラコネクタプラグが必要とされる。
【発明の概要】
【発明が解決しようとする課題】
【００１０】
本発明の目的は、速度が１００〜５００ＭＨｚのデータ伝送用の新しい、改良されたモジュラーコネクタプラグを提供することである。
【課題を解決するための手段】
【００１１】
本発明の他の目的は、既存の標準規格の全てに適合する寸法および外形を有する、速度が１００〜５００ＭＨｚのデータ伝送用の新しい、改良されたモジュラーコネクタプラグを提供することである。
【００１２】
本発明のさらに他の目的は、従来の方法および設備を用いて容易に低コストで製造できる、速度が１００〜５００ＭＨｚのデータ伝送用の新しい、改良されたモジュラーコネクタプラグを提供することである。
【００１３】
本発明のさらに他の目的は、安定して反復可能な性能でケーブルに容易に適用できる、速度が１００〜５００ＭＨｚのデータ伝送用の新しい、改良されたモジュラーコネクタプラグを提供することである。
【００１４】
本発明のさらにまた他の目的は、様々に構成および製造が異なる多種多様なケーブルを成端することができる、速度が１００〜５００ＭＨｚのデータ伝送用の新しい、改良されたモジュラーコネクタプラグを提供することである。
【００１５】
本発明のさらに他の目的は、ＴＩＡ５６８ＡおよびＩＥＣ６０６０３−７規格のテストでカテゴリー６Ａのコネクタについて規定されたすべての要件を満たし超える、速度が１００〜５００ＭＨｚのデータ伝送用の新しい、改良されたモジュラーコネクタプラグを提供することである。
【００１６】
本発明の別の目的は、シールドされたモジュラーコネクタおよびシールドされていないモジュラーコネクタの双方でＥＭＩ性能が向上する、速度が１００〜５００ＭＨｚのデータ伝送用の新しい、改良されたモジュラーコネクタプラグを提供することである。
【００１７】
簡潔に説明すると、上述したおよびその他の目的を達成するために、モジュラーコネクタプラグは、絶縁材製のハウジングであって、ハウジング内に成形されその後表面に開口する長手方向に伸びる導体収納キャビティを有するハウジングと、ハウジングの前方域に位置する複数の端子であって、導体収納通路の前方域と連通する端子と、ハウジングの後表面で開口部を介して前記導体収納キャビティ内に少なくとも部分的に位置するワイヤ・ガイド・フィルターとを備える。ワイヤ・ガイド・フィルターは、インピーダンス収容部および一体的または分離的な内側ケーブルガイド部とを含んでも良い。
【００１８】
インピーダンス収容部は、それぞれがそれぞれの芯線ペアを収納するように構成され配置された複数の長手方向連続通路を有する長手方向連続本体を備える。インピーダンス収容部の長手方向連続本体は、十字状の横断面を示し４本の長手方向連続通路を形成する長手方向連続壁を有しても良い。このインピーダンス収容部の壁の少なくとも一つは、モジュラーコネクタプラグが接続されるケーブルのシールドを成端するように構成され配置された長手方向連続エッジ表面を含んでも良い。たとえば、歯またはぎざぎざが、インピーダンス収容部の本体の長手方向連続壁の少なくとも一つの長手方向連続エッジ表面上に形成されてもよい。インピーダンス収容部は、亜鉛合金でダイカスト成形するか、または、導電性材料、フェライト、金属化プラスチックまたは非導電性材料などのような、この目的に適う他の材料で形成してもよい。
【００１９】
内側ケーブルガイド部も、複数の長手方向連続ガイド通路を区画する長手方向連続本体を備える。ケーブルガイド部は、プラグハウジング内に形成された導体収納キャビティ内に収納可能である。
【００２０】
複数の長手方向連続ガイド通路は、４本のガイド通路を備えてもよい。各ガイド通路は対応する芯線ペアを収納するように構成され配置される。４本のガイド通路は、内側ケーブルガイド部が前記導体収納キャビティに納められたとき、導体収納キャビティの上側および下側表面と対向関係に配置可能な上側および下側ガイド通路と、導体収納キャビティのそれぞれの側面表面に連続して配置可能な１対の側面ガイド通路とを含んでも良い。１対の側面ガイド通路の各々は、側面ガイド通路の上側、下側および内側側面を実質的に囲む壁部で形成されてもよい。あるいは、１対の側面ガイド通路の各々は、長手方向で側面ガイド通路のすべての側面を実質的に囲む壁部で形成されてもよい。ガイド通路を形成する壁部はＥＭＩシールドを確保するために導電性材料で形成されてもよい。
【００２１】
１対の側面ガイド通路を形成する壁部の前方自由エッジ表面は、上側および下側ガイド通路を形成する壁部の前方自由エッジ表面の前方に突き出た１対の側面ガイド通路を形成する壁部の丈の間に制御されたクロストーク空間を区画するように、上側および下側ガイド通路の前方自由エッジ表面の前方に位置する。内側ケーブルガイド部は、亜鉛合金でダイカスト成形するか、または、導電性材料、フェライト、金属化プラスチックまたは非導電性材料などのような、この目的に適う他の材料で形成してもよい。
【００２２】
ワイヤ・ガイド・フィルターの内側ケーブルガイド部は、ワイヤ・ガイド・フィルターのインピーダンス収容部の前方に位置しても良い。複数の長手方向連続インピーダンス収容通路は、内側ケーブルガイド部の対応する長手方向連続ガイド通路と、長手方向で整列してもよい。内側ケーブルガイド部は、インピーダンス収容部と一体的に形成されてもよい。たとえば、この２つの部分は単一の構成要素として亜鉛合金のダイカスト製品でもよい。あるいは、この２つの部分は、同じ材料または異なる材料で、互いに別々に成形されてもよい。
【００２３】
外側金属製シールドは、モジュラーコネクタプラグの絶縁ハウジングの上に位置してもよい。外側シールドは、ＥＭＩシールドを確保するためにハウジング内の導体収納キャビティ内に位置する内側ケーブルガイド部の側面ガイド通路と対向関係でハウジングの外側側面表面を覆うように構成され配置された１対の側面部を含んでもよい。外側シールドは、ケーブルシールドを成端するようにインピーダンス収容部の壁部上で圧着されるように構成され配置され、ハウジングから離れる方向に伸びる圧着部を含んでも良い。
【００２４】
ワイヤ・ガイド・フィルターの前方で、ロードバーを用いて、ケーブルの芯線を対応するプラグ端子と正しい位置関係で正確に位置づけしてもよい。
【図面の簡単な説明】
【００２５】
本発明のより深い認識および本発明に伴う利点の多くは、添付図面に関連する以下の詳細な説明を参照することにより容易に理解されるはずである。
【００２６】
【図１】図１は、本発明に係わるモジュラーコネクタプラグの一実施形態の構成要素を示す分解斜視図である。
【００２７】
【図２】図２は、本発明に係わるモジュラーコネクタプラグのワイヤ・ガイド・フィルターのインピーダンス収容部の実施形態の斜視図である。
【００２８】
【図３】図３は、本発明に係わるモジュラーコネクタプラグのワイヤ・ガイド・フィルターの一実施形態の斜視図である。
【００２９】
【図４】図４は、本発明に係わるモジュラーコネクタプラグのワイヤ・ガイド・フィルターの他の実施形態の斜視図である。
【００３０】
【図５】図５は、本発明に係わるモジュラーコネクタプラグのハウジングの導体収納キャビティの内部に少なくとも部分的に位置するロードバーおよびワイヤ・ガイド・フィルターを示すモジュラーコネクタプラグの実施形態の切り取り斜視図である。
【００３１】
【図６】図６は、本発明に係わるモジュラーコネクタプラグおよび付随するケーブルのアセンブリの実施形態の側面断面図である。
【００３２】
【図７】図７は、本発明に係わるモジュラーコネクタプラグのワイヤ・ガイド・フィルターの内側ケーブルガイド部の別の実施形態の斜視図である。
【００３３】
【図８】図８は、図７の内側ケーブルガイド部の構成要素の分解斜視図である。
【００３４】
【図９】図９は、図７および図８の内側ケーブルガイド部を用いた本発明に係わるモジュラーコネクタプラグの実施形態の切り取り斜視図である。
【００３５】
【図１０】図１０は、ケーブルを所定の長さに切断し、張力緩和はとめの大きい方の端部を外側に向けた部分図である。
【図１１】図１１は、ケーブルの外装に切れ目を入れ、一側面で剥がした状態の図である。
【図１２】図１２は、外装フラップが後ろに引き戻され、組みひもがケーブルの外装上の後ろに引き戻された状態の斜視図である。
【図１３】図１３は、４つのワイヤペアが広がった状態の斜視図である。
【図１４】図１４は、各ワイヤペア上に残存するフォイルを残し、ワイヤからフォイルを切り落とした状態の斜視図である。
【図１５】図１５は、露出したワイヤは捩れておらず、ワイヤの自由端を上向きにして、ペアを並べた斜視図である。
【図１６】図１６は、ワイヤ・ガイド・フィルターの端部が、ワイヤペアの間に押し付けられた状態の斜視図である。
【図１７】図１７は、ワイヤペアのワイヤは、インピーダンス収容部の長手方向連続通路と内側ケーブルガイド部のこれらと位置合わせされた長手方向連続ガイド通路とのペアに位置した状態の斜視図である。
【図１８】図１８は、内側ケーブルガイド部の前方に突出するワイヤの端面を示した図である。
【図１９】図１９は、内側ケーブルガイド部の前方に突出するワイヤの端部の平面図である。
【図２０】図２０は、ワイヤの端部を、ロードバーに挿入した状態の図である。
【図２１】図２１は、ロードバーの底が内側シールドに完全に着くまで、ワイヤに強く押し下げられた状態の斜視図である。
【図２２】図２２は、プラグシールドフィンガーがシールドの狭い端部に接触する領域で、組みひもが内側シールドの狭い端部に巻きつけられた状態の斜視図である。
【図２３】図２３は、組み付けたワイヤと、ロードバーとワイヤ・ガイド・フィルターとが、ワイヤがプラグの前内表面と接触するまで、プラグハウジングの導体収納キャビティ内に押し込まれた状態の斜視図である。
【図２４】図２４は、シールドフィンガーがケーブルに向かって内側に曲げられ、ケーブル及びワイヤシールドに圧着された状態の斜視図である。
【図２５】図２５は、成端したプラグケーブルアセンブリの斜視図である。
【図２６】図２６は、成端したプラグケーブルアセンブリが取り出された状態の斜視図である。
【図２７】図２７は、高速用モジュラーコネクタプラグを指でつまんだ状態の斜視図である。
【発明を実施するための形態】
【００３６】
同様の参照符号が同様また相当する部分を示す図を複数含む図面を、特に、図１、図５および図６を参照する。参照符号１０で示す本発明のモジュラーコネクタプラグの実施形態は、プラスチックなどの絶縁材製のハウジング１２を備え、ハウジング１２は、ハウジング１２内に形成され、その後面１２ａに開口し、長手方向に連続する導体収納キャビティ１４（図５および図６参照）を有する。銅合金またはステンレス鋼などの金属材製の複数の端子１６は、ハウジング１２の前方域に位置する。ワイヤ・ガイド・フィルター１８は、少なくともその一部が、ハウジング１２の後面１２ａで開口部１２ｂ（図６）を介して導体収納キャビティ１４内に位置する（図５および図６参照）。ケーブル芯線を端子１６のそれぞれと正確に一致させるためにワイヤ・ガイド・フィルター１８より前方の導体収納キャビティ１４内に、ロードバー２０が位置する。
【００３７】
図１および図２を参照する。ワイヤ・ガイド・フィルター１８は、インピーダンス収容部２２および内側ケーブルガイド部２４を含む。インピーダンス収容部２２は、長手方向連続本体２２ａを備え、複数の長手方向連続通路を有する。各通路はモジュラーコネクタプラグ１０で成端されるケーブルのそれぞれの導体対を収納するように構成されて配置される。図示の実施形態では、インピーダンス収容部２２は、横断面が十字形状にして、４本の長手方向連続通路２６ａ、２６ｂ、２６ｃおよび２６ｄを構成する４つの長手方向に延びる壁２２ｂを有する。インピーダンス収容部２２の各壁２２ｂは、以下に説明するようなケーブルのシールドの成端が容易にできるように配置され長手方向に連続する鋸状または歯状エッジ表面２８を含む。インピーダンス収納部は亜鉛合金のダイカスト製であるが、導電性材料、フェライト、金属化プラスチックまたは非導電性材料などのその他の適切な材料を用いても良い。以下に説明するように、インピーダンス収容部２２は、ケーブルの遮蔽終端を備え、張力を緩和している。各通路２６ａ、２６ｂ、２６ｃ、２６ｄは、４対ケーブルのそれぞれのワイヤ対を保持する。インピーダンス収容部の寸法は、特定の用途に用いるケーブルに対応し、ケーブル・インピーダンスの急激な外乱を最小限にする。
【００３８】
図１及び図３を参照すると、内側ケーブルガイド部２４も、複数の長手方向連続ガイド通路を区画する長手方向連続本体２４ａを備える。内側ケーブルガイド部２４は、プラグハウジング１２内に形成された導体収納キャビティ１４内に収まるようなサイズに形成される。図示の実施形態では、本体２４ａはガイド通路３０ａ、３０ｂ、３０ｃおよび３０ｄを区画する。各ガイド通路は、導体のそれぞれの対を収納するように構成され配置される。４本のガイド通路には、導体収納キャビティ１４（図６参照）の上下側表面１４ａおよび１４ｃのそれぞれと対向する関係で位置づけが可能な上下側ガイド通路３０ａおよび３０ｃが含まれる。４本のガイド通路には、また、導体収納キャビティ１４の側面１４ｂおよび１４ｄ（図示せず）と対向および連続する関係で位置づけが可能な側面ガイド通路３０ｂおよび３０ｄも含まれる。図１、図３および図５に示す実施形態では、側面ガイド通路３０ｂおよび３０ｄの各々は、各側面ガイド通路３０ｂ、３０ｄの上側、下側および内側側面を実質的に囲む壁部３２により構成される。側面ガイド通路３０ｂおよび３０ｄは、その内部を通るワイヤ対に対して、ＥＭＩシールドを効果的に実現する。
【００３９】
ワイヤ・ガイド・フィルター１８の４本のガイド通路３０ａ〜３０ｄは、ケーブルの４つの撚り芯線ペアをガイドする。ガイド通路は、これら対を所定の位置に保持し、一定した反復可能な性能の生成部に関して重要である互いに相対的なペアの位置を維持する。ワイヤ・ガイド・フィルター１８は、ペア間のクロストークを防止するために４対の芯線を互いに遮蔽する亜鉛合金またはその他の導電性材料のダイカスト製である。壁部３２の位置と長さとは、最適な性能を提供するように変えてもよい。
【００４０】
あるいは、ワイヤ・ガイド・フィルター１８は、４つの芯線ペアを互いに遮蔽することに加え、電磁放射線を吸収するフェライト材で構成されてもよい。フェライト材により、寄生コモンモードノイズのみが吸収されることになる。
【００４１】
図１、図３および図５に示す実施形態、即ち、側面ガイド通路３０ｂおよび３０ｄの壁部３２が側面ガイド通路の外側の側面を被覆しない実施形態において、外側シールド３４は、モジュラーコネクタプラグのハウジング１２の外側表面の部分を取り囲み、プラグハウジングの上側、下側、および側面表面を被覆する上面シールド部３４ａ、下面シールド部３４ｃおよび側面シールド部３４ｂを含む。側面シールド部（図１に３４ｂのみ示す）は、側面ガイド通路を区画する壁部３２とともに、側面ガイド通路を完全に囲み、そこを通るケーブルペアに効果的なＥＭＩシールドを設ける。側面ガイド通路の内径がケーブルワイヤペアの内径よりも大きいために、電磁放射線を低減できることは重要なことである。
【００４２】
図４を参照して、別のワイヤ・ガイド・フィルター１８′の実施形態を説明する。図３に示したワイヤ・ガイド・フィルター１８の同様の部分に相当する部分は、ダッシュ付きの同じ参照符号で示す。図３に示すワイヤ・ガイド・フィルター１８と、ワイヤ・ガイド・フィルター１８′は、互いに一体的に接合するインピーダンス収容部２２′および内側ケーブルガイド部２４′を含む点が、同様である。図４に示す実施形態の場合では、側面ガイド通路３０ｂ′および３０ｄ′は、側面ガイド通路３０ｂ′および３０ｄ′の全周囲のまわりに連続する壁部３２′により完全に囲まれる。このワイヤ・ガイド・フィルター１８′の実施形態は、図１に示すタイプのシールドされたプラグ（シールド３４）ばかりでなく非シールドプラグの両方に用いることができ、どちらの用途においてもＥＭＩ性能を向上させることが可能である。
【００４３】
図７〜図９を参照して、別のワイヤ・ガイド・フィルター１８″の実施形態を説明する（図９参照）。図３に示したワイヤ・ガイド・フィルター１８の同様の部分に相当する部分は、ダブルダッシュ付きの同じ参照符号で示す。ワイヤ・ガイド・フィルター１８″は、インピーダンス収容部２２″および独立した内側ケーブルガイド部２４″を含む。内側ケーブルガイド部２４″は、銅合金などのような導電性の金属シート製であり、ケーブルガイド部２４″を構成する図７に示すように互いに噛合う上下側部分３６および３８（図８）を備える。ケーブルガイド部２４″は、長手方向連続ガイド通路３０ａ″〜３０ｄ″を含む。側面ガイド通路３０ｂ″および３０ｄ″は、壁部２２″によりこれらの全長のまわりの全周でシールドされることにより、ワイヤ・ガイド・フィルター１８″の実施形態は、シールドされたモジュラーコネクタプラグおよびシールドされないモジュラーコネクタプラグの双方のＥＭＩ性能を効果的に向上させる。
【００４４】
図３、図４および図７に示した内側ケーブルガイド部２４、２４′および２４″の実施形態を参照すると、壁部３２、３２′および３２″の前方の自由エッジ表面３２ａ、３２ａ′および３２ａ″は、上下ガイド通路３０ａ、３０ｃ、３０ａ′、３０ｃ′、３０ａ″、３０ｃ″を形成する壁部４０の前方自由表面４０ａ、４０ａ′、４０ａ″の前方に位置する。この構造は、上下側ガイド通路を構成する壁部４０、４０′、４０″の前方自由エッジ表面の前方に突出する一対の側面ガイド通路を構成する壁部３２、３２′、３２″の全長の間に制御されたクロストーク空間４２、４２′、４２″を区画する。制御されたクロストーク空間４２、４２′、４２″は、モジュラーコネクタプラグのシールド付きの実施形態およびシールドなしの実施形態の双方に用いる。例えば、Ｔ５６８Ｂ配線方式を利用する場合、組立時において、芯線ペア１，２および７，８の露出長は、芯線ペア３，６および４，５の露出長とは違う。すなわち、３，６ペアと４，５ペアのシールド長の方が短い。これら芯線ペアの露出長が、ペア間のカップリングを制御し、逆の極性の端子間のクロストークを相殺することにより、性能をＣＡＴ６Ａレベルに向上させる。これら最適化した長さは、ケーブルガイド部２４、２４′、２４″内に組み込まれる（例えば、カスト）ので、ケーブルが準備される間厳格に管理する必要はない。言い換えるならば、個々の芯線ペアのフォイルシールドは、狭い許容範囲にトリムする必要はない。ファイルがガイド通路の内部にある限り、シールド長はケーブルガイド部の構造でコントロールされる。シールドのないモジュラーコネクタプラグの実施形態では、芯線の互いからの分離をコントロールすることが目標である。好ましくは、シールド付きまたはシールドのないモジュラーコネクタプラグのいずれかの制御されたクロストーク空間４２、４２′、４２″の長さは略０．３５０インチまでである。制御されたクロストーク空間の適切な大きさにすることは、均一なＣＡＴ７Ａレベルまでの性能を実現するのに十分なクロストークを確保する。
【００４５】
図１、図５および図６を参照すると、圧着部４４はシールド３４と一体的に形成され、内側ケーブルガイド部２４が導体収納キャビティ１４内に位置しているときインピーダンス収容部２２に隣接して配置されるように後方に伸びている。インピーダンス収容部の壁部の上に圧着され、インピーダンス収容部２２の長手方向連続壁２２の鋸状エッジ表面２８にケーブルシールド４６（図６）を押しつけるように構成され配置される圧着フィンガー４４ａを、圧着部４４は含む。したがって、圧着部４４のフィンガー４４ａは、確実な張力緩和および低抵抗の電気接続を提供するインピーダンス収容部２２にケーブルシールド４６を成端する。長手方向連続通路２６ａ〜２６ｄは、導体の送電性能を低下させ得る変形を防止する圧着フィンガー４４ａの下を通過する導体のために空間を確保する。
【００４６】
ロードバー２０は前部により大きい開口部を有することにより、ケーブルの挿入を簡単にしている。プラグの端子を受け入れるためのスロット２０ａ（図１）は４辺で閉じられて、端子の位置をコントロールし電気特性をより安定するようにする。
【００４７】
図１０〜２７を参照すると、導体の４つのツイストペアを含むケーブルに本発明によるモジュラーコネクタプラグの組立が示される。
【００４８】
図１〜図３、図５および図６に示すプラグ１０が４つのワイヤペアを有するケーブルに成端されている例示の実施形態において、図１０を参照すると、ケーブルを長さに切断し、複数の張力緩和はとめを大きい方の端部を外側に向けてケーブルにはめる。図１１を参照すると、ケーブルの外装に切れ目を入れ、外装の約１と２分の1インチから約１と４分の３インチを一側面で剥がす。反対側で、外装の約２分の１インチから約８分の５インチのフラップを残す。図１２を参照すると、外装フラップは後ろに引き戻され、組みひもがケーブルの外装上の後ろに引き戻される。図１３を参照すると、４つのワイヤペアが広がり、そして、図１４を参照すると、各ワイヤペア上に残存するフォイルの約２分の１インチから約８分の５インチを残し、ワイヤからフォイルを切り落とす。図１５を参照すると、露出したワイヤは捩れておらず、ワイヤの自由端を上向きにして、左側にオレンジ色のペア、右側に茶色のペアが来るようにペアを並べる。青色と緑色のペアは真ん中に位置する。図１６および図１７を参照すると、ワイヤ・ガイド・フィルター１８の端部が、ワイヤペアの間に押し付けられ、各ワイヤペアのワイヤは、インピーダンス収容部２２の長手方向連続通路２６ａ〜２６ｄと内側ケーブルガイド部２４のこれらと位置合わせされた長手方向連続ガイド通路３０ａ〜３０ｄとのペアに位置する。特に、オレンジ色のペアと茶色のペアは側面通路に位置する一方、青色のペアと緑色のペアは上下側通路に位置する。図１８および図１９を参照すると、内側ケーブルガイド部２４の前方に突出するワイヤのそれぞれの部分は平坦にされ、Ｔ５６８Ｂのカラーマップ（図１８）と一致するように整列され、ワイヤの先端を横に真っ直ぐ切り落とし、これらの端部を均一にする（図１９）。図２０を参照すると、ワイヤの端部を、色の順番を維持するロードバー２０に挿入する。図２１を参照すると、ロードバー２０は、その底が内側シールドに完全に着くまで、ワイヤに強く押し下げられる。ロードバーを貫通したワイヤの部分は、ロードバーの端部と同じ高さで切り取られ、組みひも全体は外装の一側面に引き寄せられる。図２２を参照すると、圧着されるとプラグシールドフィンガー４４ａがシールドの狭い端部に接触する領域で、組みひもは内側シールドの狭い端部に巻きつけられる。組みひもは外装のフラップの下に位置するようになる。図２３を参照すると、オレンジ色のワイヤのペアを左側にして、組み付けたワイヤと、ロードバーとワイヤ・ガイド・フィルター１８とは、ワイヤがプラグの前内表面と接触するまで、プラグハウジング１２ａの導体収納キャビティ１４内に押し込まれる。図２４および図２５を参照して、次に、シールドフィンガー４４はケーブルに向かって内側に曲げられ、そして、適切な圧着工具を使って、ケーブルおよびワイヤシールドに圧着される。成端したプラグケーブルアセンブリは圧着工具から取り出される（図２６）。最後に、緩和はとめを成端したプラグに押し嵌める。
【００４９】
明らかに、上述した教示に鑑み、本発明の多数の修正および変更は可能である。したがって、添付した特許請求の範囲内において、本発明はここで開示した実施形態を変えてもよい。
【図１】
2013510403.tif 000003
【図２】
2013510403.tif 000004
【図３】
2013510403.tif 000005
【図４】
2013510403.tif 000006
【図５】
2013510403.tif 000007
【図６】
2013510403.tif 000008
【図７】
2013510403.tif 000009
【図８】
2013510403.tif 000010
【図９】
2013510403.tif 000011
【図１０】
2013510403.tif 000012
【図１１】
2013510403.tif 000013
【図１２】
2013510403.tif 000014
【図１３】
2013510403.tif 000015
【図１４】
2013510403.tif 000016
【図１５】
2013510403.tif 000017
【図１６】
2013510403.tif 000018
【図１７】
2013510403.tif 000019
【図１８】
2013510403.tif 000020
【図１９】
2013510403.tif 000021
【図２０】
2013510403.tif 000022
【図２１】
2013510403.tif 000023
【図２２】
2013510403.tif 000024
【図２３】
2013510403.tif 000025
【図２４】
2013510403.tif 000026
【図２５】
2013510403.tif 000027
【図２６】
2013510403.tif 000028
【図２７】
2013510403.tif 000029
【国際調査報告】
2013510403.tif 000030
2013510403.tif 000031
2013510403.tif 000032